(57)【要約】【課題】画像再生時であっても、画像に写っている被写体の周囲の雰囲気や被写体の全体像を認識することが可能な撮像装置を提供する。【解決手段】本発明に係る撮像装置は、ズームレンズ11を有する第１撮像機構１と、画角が前記ズームレンズ11のワイド端での画角と同じ又は該画角よりも大きい単焦点レンズ21を有する第２撮像機構２とを具え、更に、前記第１撮像機構１及び第２撮像機構２により取得される２つの画像を記録することが可能なメモリ６と、前記２つの画像を互いに関連付けて前記メモリ６に記録する記録制御手段として機能するＡＳＩＣ55と、関連付けられた２つの画像を前記メモリ６から読み出して同じ液晶ディスプレイ３に表示する２画面表示の実行が可能である表示制御手段７とを具えている。【選択図】図４
2011013243.tif 000002
【特許請求の範囲】
【請求項１】
変倍レンズを有する第１撮像機構と、画角が前記変倍レンズのワイド端での画角と同じ又は該画角よりも大きい広角レンズを有する第２撮像機構とを具えた撮像装置において、更に、前記第１撮像機構及び第２撮像機構により取得される２つの画像を記録することが可能なメモリと、前記２つの画像を互いに関連付けて前記メモリに記録する記録制御手段と、関連付けられた２つの画像を前記メモリから読み出して同じ画像表示部に表示する２画面表示の実行が可能である表示制御手段とを具えていることを特徴とする撮像装置。
【請求項２】
前記表示制御手段は更に、関連付けられた２つの画像の何れか一方のみを前記メモリから読み出して画像表示部に表示する１画面表示の実行が可能である請求項１に記載の撮像装置。
【請求項３】
変倍レンズを有する第１撮像機構と、画角が前記変倍レンズのワイド端での画角と同じ又は該画角よりも大きい広角レンズを有する第２撮像機構とを具えた撮像装置において、更に、前記第２撮像機構の姿勢を変更して広角レンズの光軸の傾きを調整する調整手段と、変倍レンズと被写体との距離に応じて変化する距離情報を取得する情報取得手段とを具え、該情報取得手段は、変倍レンズの焦点が被写体に合わされたときに距離情報の取得動作を実行し、前記調整手段は、前記情報取得手段により取得される距離情報に基づいて、第１撮像機構の撮影範囲に第２撮像機構の撮影範囲が重なる様に光軸の傾きの調整動作を実行することを特徴とする撮像装置。
【発明の詳細な説明】
【技術分野】
【０００１】
本発明は、複数の撮像機構を具えた撮像装置に関する。
【背景技術】
【０００２】
デジタルカメラにおいては、画像を画像表示部に表示させ、該画像表示部の画面を確認しながら撮影を行うことが可能である。この種のデジタルカメラの内、ズームレンズ等の変倍レンズを具えたデジタルカメラにおいては、変外レンズの画角を小さく（ズームイン）することにより、被写体又はその一部を拡大して撮影することが可能である。しかし、画角を小さくすると、撮影範囲から被写体又はその一部が外れた場合、画像表示部の画面を確認しながらでは、被写体又はその位置を再び撮影範囲内に捉えることが困難であった。
【０００３】
そこで、変倍レンズを有する第１撮像機構と、画角が変倍レンズのワイド端での画角と同じ又は該画角よりも大きい広角レンズを有する第２撮像機構とを具えたデジタルカメラが提案されている（例えば、特許文献１参照）。該デジタルカメラにおいては、第１撮像機構及び第２撮像機構により取得される２つの画像を画像表示部に２画面表示させることが可能であり、２つの画像を確認しながら撮影を行うが出来る。広角レンズを用いて第２撮像機構により取得される画像には、被写体の周囲又は被写体の全体像が写ることになるので、画像表示部の画面を確認しながらでも、撮影範囲から外れた被写体又はその一部を再び撮影範囲内に容易に捉えることが出来る。
【先行技術文献】
【特許文献】
【０００４】
【特許文献１】特開平５−１４５８１８号公報
【発明の概要】
【発明が解決しようとする課題】
【０００５】
しかしながら、特許文献１に示す如く撮像装置においては、２つの撮像素子から得られる２つの画像が画像表示部に２画面表示されるのは撮影時のみであり、画像の再生時には、何れか一方の画像のみが画像表示部に表示されるだけであった。変倍レンズのテレ端側にて第１撮像機構により取得される画像には、被写体の周囲又は被写体の全体像が写り難いので、該画像を画像表示部に再生した場合、該画像からでは、被写体の周囲又は被写体の全体像が認識し難かった。
【０００６】
そこで本発明の目的は、画像再生時であっても、画像に写っている被写体の周囲の雰囲気や被写体の全体像を認識することが可能な撮像装置を提供することである。
【課題を解決するための手段】
【０００７】
本発明に係る第１の撮像装置は、変倍レンズを有する第１撮像機構と、画角が前記変倍レンズのワイド端での画角と同じ又は該画角よりも大きい広角レンズを有する第２撮像機構とを具え、更に、前記第１撮像機構及び第２撮像機構により取得される２つの画像を記録することが可能なメモリと、前記２つの画像を互いに関連付けて前記メモリに記録する記録制御手段と、関連付けられた２つの画像を前記メモリから読み出して同じ画像表示部に表示する２画面表示の実行が可能である表示制御手段とを具えている。
【０００８】
上記第１の撮像装置においては、変倍レンズのテレ端側にて第１撮像機構により取得される画像には、被写体の周囲又は被写体の全体像が写り難いが、広角レンズを用いて第２撮像機構により取得される画像には、被写体の周囲又は被写体の全体像が写ることになる。そして、上記第１の撮像装置によれば、画像再生時には、関連する２つの画像がメモリから読み込まれ、これらの画像が合成されて同じ画像表示部に２画面表示されるので、第１撮像機構により取得される画像からでは認識し難い被写体の周囲の雰囲気又は被写体の全体像を、第２撮像機構により取得される画像から認識することが出来る。
【０００９】
上記第１の撮像装置の具体的構成において、前記表示制御手段は更に、関連付けられた２つの画像の何れか一方のみを前記メモリから読み出して画像表示部に表示する１画面表示の実行が可能である。
【００１０】
本発明に係る第２の撮像装置は、変倍レンズを有する第１撮像機構と、画角が前記変倍レンズのワイド端での画角と同じ又は該画角よりも大きい広角レンズを有する第２撮像機構とを具え、更に、前記第２撮像機構の姿勢を変更して広角レンズの光軸の傾きを調整する調整手段と、変倍レンズと被写体との距離に応じて変化する距離情報を取得する情報取得手段とを具えている。該情報取得手段は、変倍レンズの焦点が被写体に合わされたときに距離情報の取得動作を実行し、前記調整手段は、前記情報取得手段により取得される距離情報に基づいて、第１撮像機構の撮影範囲に第２撮像機構の撮影範囲が重なる様に光軸の傾きの調整動作を実行する。
【００１１】
上記第２の撮像装置によれば、変倍レンズと被写体との距離に拘わらず、第２撮像機構により取得される画像には、第１撮像機構により取得される画像が含まれることになる。よって、変倍レンズのテレ端側にて第１撮像機構により取得される画像には、被写体の周囲又は被写体の全体像が写り難いが、広角レンズを用いて第２撮像機構により取得される画像には、被写体の周囲又は被写体の全体像が写ることになる。従って、第２撮像機構により取得される画像を確認することにより、被写体の周囲又は被写体の全体像を確認することが出来る。
【００１２】
その結果、第１撮像機構の撮影範囲から被写体又はその一部が外れた場合でも、画像表示部の画面を確認しながら、撮影範囲から外れた被写体又はその一部を再び撮影範囲内に容易に捉えることが出来る。
【発明の効果】
【００１３】
本発明に係る撮像装置によれば、画像再生時であっても、画像に写っている被写体の周囲の雰囲気や被写体の全体像を認識することが可能である。
【図面の簡単な説明】
【００１４】
【図１】本発明の一実施形態に係るデジタルカメラを示す前面図である。
【図２】該デジタルカメラの背面図である。
【図３】図１に示すＡ−Ａ線に沿う断面図である。
【図４】上記デジタルカメラの構成を示すブロック図である。
【図５】上記デジタルカメラにおいて、第１撮像機構によりワイド端にて取得された画像が液晶ディスプレイに表示されている図である。
【図６】上記デジタルカメラにおいて、第１撮像機構によりテレ端にて取得された画像が液晶ディスプレイに表示されている図である。
【図７】上記デジタルカメラにおいて、第１撮像機構及び第２撮像機構により取得された２つの画像が液晶ディスプレイに２画面表示されている図である。
【図８】上記デジタルカメラにおいて、第２撮像機構により取得された画像が液晶ディスプレイに表示されている図である。
【図９】第２撮像機構の光軸の傾きを調整する光軸調整手続きを示すフローチャートである。
【図１０】第１撮像機構により取得される画像をファイルにしてメモリに記録する記録制御手続きを示すフローチャートである。
【図１１】第２撮像機構により取得される画像をファイルにしてメモリに記録する記録制御手続きを示すフローチャートである。
【図１２】第１撮像機構及び第２撮像機構により取得される２つの画像をファイルにすると共に、これらを互いに関連付けてメモリに記録する記録制御手続きを示すフローチャートである。
【図１３】メモリへの画像の記録形態を示す図である。
【図１４】メモリに記録されている画像ファイルの再生制御手続きを示すフローチャートである。
【図１５】メモリに記録されている関連する２つの画像ファイルの再生制御手続きを示すフローチャートである。
【発明を実施するための形態】
【００１５】
以下、本発明をデジタルカメラに実施した形態につき、図面に沿って具体的に説明する。
本発明の一実施形態に係るデジタルカメラは、図１に示す如く筐体(10)の前面に第１撮像機構(１)と第２撮像機構(２)とを配備し、図２に示す如く筐体(10)の裏面に液晶ディスプレイ（ＬＣＤ）(３)を配備して構成されている。
又、筐体(10)には、撮影時に被写体を照明するべく発光するフラッシュランプ(101)と、撮影時にデジタルカメラを操作するための撮影操作部(41)とが配備されている。撮影操作部(41)は、シャッターボタン(411)、ズームアウトボタン(412)、ズームインボタン(413)から構成されている。
【００１６】
筐体(10)には更に、図４に示す様に、モード切替え操作部(42)と表示切替え操作部(43)とが配備されている。モード切替え操作部(42)は、撮影モードと再生モードとの切替え操作を行うためのものであり、表示切替え操作部(43)は、撮影モードにおいて、第１撮像機構(１)及び第２撮像機構(２)により取得される２つの画像を同じ液晶ディスプレイ(３)に表示する２画面表示と、第１撮像機構(１)により取得される画像のみを液晶ディスプレイ（３）に表示する１画面表示Ａと、第２撮像機構(２)により取得される画像のみを液晶ディスプレイ（３）に表示する１画面表示Ｂとの切替え操作を行うためのものである。
【００１７】
図３に示す如く、第１撮像機構(１)は、ズームレンズ(11)と、該ズームレンズ(11)から入射する被写体の映像光を電気信号(アナログ信号)に変換して出力する第１撮像素子(12)とから構成されている。又、第２撮像機構(２)は、単焦点レンズ(21)と、該単焦点レンズ(21)から入射する被写体の映像光を電気信号(アナログ信号)に変換して出力する第２撮像素子(22)とから構成されている。
【００１８】
第１撮像機構(１)のズームレンズ(11)は、ズームアウトボタン(42)の押圧操作によりワイド端側へ移動し、これによりズームレンズ(11)の画角が大きくなって、図５に示す様に第１撮像機構(１)の撮影範囲が拡がることになる。
一方、ズームインボタン(43)の押圧操作により、第１撮像機構(１)のズームレンズ(11)はテレ端側へ移動し、これによりズームレンズ(11)の画角が小さくなって、図６に示す様に第１撮像機構(１)の撮影範囲は狭まることになる。
【００１９】
第２撮像機構(２)の単焦点レンズ(21)は、その画角が第１撮像機構(１)のズームレンズ(11)のワイド端での画角と同じ又は該画角よりも大きくなっている。従って、第２撮像機構(２)の撮影範囲は、第１撮像機構(１)のワイド端での撮影範囲と同じ又は該撮影範囲よりも広くなっている。
【００２０】
筐体(10)の内部には、図３に示す様に、第２撮像機構(２)の姿勢を変更して第２撮像機構(２)の光軸(92)を第１撮像機構(１)の光軸(91)に対して傾けるための駆動機構(７)が配備されており、該駆動機構(７)は、駆動モータ(71)と、該駆動モータ(71)の回転力を第２撮像機構(２)に伝達する伝達機構(72)とから構成されている。
【００２１】
又、図４に示す様に筐体(10)の内部には、ズームレンズ(11)のフォーカスレンズ(111)（図３参照）を光軸(91)に沿って前後に移動されるためのフォーカスモータ(51)と、該フォーカスモータ(51)の動作を制御してズームレンズ(11)のフォーカスを調整するフォーカス制御手段(52)と、ズームレンズ(11)と被写体との距離に応じて変化する距離情報を取得する情報取得手段(81)と、該情報取得手段(81)により取得される距離情報に基づいて駆動機構(７)の駆動モータ(71)の動作を制御し、これにより第２撮像機構(２)の光軸(92)の傾きを調整する調整手段(82)とが配備されている。
【００２２】
図９は、第２撮像機構(２)の光軸(92)の傾きを調整する光軸調整手続きを示すフローチャートである。光軸調整手続きは、フォーカス制御手段(52)によりズームレンズ(11)の焦点が被写体に合わされてから開始される。尚、ズームレンズ(11)のフォーカスは、フォーカス制御手段(52)においてオートフォーカス（ＡＦ）処理が実行されることにより調整される。
【００２３】
光軸調整手続きが開始されると、先ずステップＳ１１において、情報取得手段(81)が、ズームレンズ(11)と被写体との距離に応じて変化する距離情報を取得する。ズームレンズ(11)と被写体との距離は、フォーカス調整時のフォーカスモータ(51)の回転量から算出することが出来るので、具体的にステップＳ１１においては、パルスエンコーダによってフォーカス調整時のフォーカスモータ(51)の回転量が計測され、該回転量が前記距離情報として情報取得手段(81)により取得されることになる。
【００２４】
次に、ステップＳ１２において、情報取得手段(81)により取得された距離情報に基づいて、調整手段(72)が、駆動機構(７)の駆動モータ(71)の動作を制御し、これにより、第１撮像機構(１)の撮影範囲に第２撮像機構(２)の撮影範囲が重なる様に、具体的には第１撮像機構(１)の撮影範囲が第２撮像機構(２)の撮影範囲の中心位置又はその近傍位置に配置される様に、第２撮像機構(２)の光軸(92)の傾きが調整される。
【００２５】
そして、ステップＳ１３において、単焦点レンズ(21)のフォーカスが、オートフォーカス処理の実行により調整され、これにより光軸調整手続きが完了する。その後、シャッターボタン(411)の押圧操作により、画像の撮影が実行されることになる。
【００２６】
図４に示す様に、筐体(10)の内部には更に、第１撮像機構(１)の撮像素子(12)から出力されるアナログ信号をデジタル信号に変換する第１Ａ／Ｄ変換回路(53)と、第２撮像機構(２)の撮像素子(22)から出力されるアナログ信号をデジタル信号に変換する第２Ａ／Ｄ変換回路(54)と、画像処理等を実行する集積回路であってＣＰＵ(551)とＳＤ−ＲＡＭ(552)とを含むＡＳＩＣ（Application  Specific  Integrated  Circuit）(55)と、撮影操作部(41)及びモード切替え操作部(42)からの操作指令に基づいてＡＳＩＣ(55)を制御するマイコン(56)と、第１撮像機構(１)及び第２撮像機構(２)により取得される２つの画像を記録することが可能なメモリ(６)と、液晶ディスプレイ(３)に画像を表示する表示制御手段(７)とが配備されている。
【００２７】
モード切替え操作部(42)が撮影モードに設定され、表示切替え操作部(43)が１画面表示Ａに設定されている場合、ＡＳＩＣ(55)は、第１Ａ／Ｄ変換回路(53)から出力される第１デジタル信号のみを表示制御手段(７)に送信する。表示制御手段(７)は表示制御回路(71)を有しており、該表示制御回路(71)は、第１デジタル信号により構成される画像を液晶ディスプレイ(３)に１画面表示させる。
【００２８】
上記設定において、シャッターボタン(411)の押圧操作により画像の撮影が実行された場合、図１０に示す如く記録制御手続きが実行される。該記録制御手続きにおいては、先ずステップＳ２１において、第１デジタル信号がＡＳＩＣ(55)のＳＤ−ＲＡＭ(552)に取り込まれる。次に、ステップＳ２２において、ＡＳＩＣ(55)のＣＰＵ(551)が、第１デジタル信号により構成される画像のサムネイルを作成する。そして、ステップＳ２３において、ＡＳＩＣ(55)のＣＰＵ(551)は、第１デジタル信号を符号化して第１画像ファイルを作成し、該第１画像ファイルを、これにステップＳ２２にて作成されたサムネイルを添付してメモリ(６)に記録する。
【００２９】
又、モード切替え操作部(42)が撮影モードに設定され、表示切替え操作部(43)が１画面表示Ｂに設定されている場合、ＡＳＩＣ(55)は、第２Ａ／Ｄ変換回路(54)から出力される第２デジタル信号のみを表示制御手段(７)に送信する。そして、表示制御手段(７)の表示制御回路(71)は、第２デジタル信号により構成される画像を液晶ディスプレイ(３)に１画面表示させる。
【００３０】
上記設定において、シャッターボタン(411)の押圧操作により画像の撮影が実行された場合、図１１に示す如く記録制御手続きが実行される。該記録制御手続きにおいては、先ずステップＳ３１において、第２デジタル信号がＡＳＩＣ(55)のＳＤ−ＲＡＭ(552)に取り込まれる。次に、ステップＳ３２において、ＡＳＩＣ(55)のＣＰＵ(551)が、第２デジタル信号により構成される画像のサムネイルを作成する。そして、ステップＳ３３において、ＡＳＩＣ(55)のＣＰＵ(551)が、第２デジタル信号を符号化して第２画像ファイルを作成し、該第２画像ファイルを、これにステップＳ３２にて作成されたサムネイルを添付してメモリ(６)に記録する。
【００３１】
一方、モード切替え操作部(42)が撮影モードに設定され、表示切替え操作部(43)が２画面表示に設定されている場合には、ＡＳＩＣ(55)は、第１Ａ／Ｄ変換回路(53)及び第２Ａ／Ｄ変換回路(54)から出力される２つデジタル信号（第１デジタル信号と第２デジタル信号）を表示制御手段(７)に送信する。表示制御手段(７)は画像合成回路(72)を有しており、該画像合成回路(72)は、第２デジタル信号により構成される画像に、第１デジタル信号により構成される画像を縮小して重ね合わせ、これにより２つの画像の合成画像を作成する。そして、図７に示す様に、画像合成回路(72)により作成された合成画像は、表示制御回路(71)により液晶ディスプレイ(３)に表示される。
斯くして、第１撮像機構(１)及び第２撮像機構(２)により取得される２つの画像が、液晶ディスプレイ(３)に２画面表示されることになる。
【００３２】
上記設定において、シャッターボタン(411)の押圧操作により画像の撮影が実行された場合、図１２に示す如く記録制御手続きが実行される。該記録制御手続きにおいては、先ずステップＳ４１において、第１デジタル信号と第２デジタル信号とがＡＳＩＣ(55)のＳＤ−ＲＡＭ(552)に取り込まれる。次に、ステップＳ４２において、ＡＳＩＣ(55)のＣＰＵ(551)が、第１デジタル信号により構成される画像のサムネイルと、第２デジタル信号により構成される画像のサムネイルとを作成する。そして、ステップＳ４３において、ＡＳＩＣ(55)のＣＰＵ(551)が、第１デジタル信号を符号化して第１画像ファイルを作成すると共に、第２デジタル信号を符号化して第２画像ファイルを作成し、これら２つの画像ファイルを、各々にステップＳ４２にて作成されたサムネイルを添付してメモリ(６)に記録する。
【００３３】
次に、ステップＳ４４において、ＡＳＩＣ(55)のＣＰＵ(551)は、第２デジタル信号により構成される画像に、第１デジタル信号により構成される画像を縮小して重ね合わせて合成画像を作成し、該合成画像のサムネイルを作成する。そして、ステップＳ４５において、ＡＳＩＣ(55)のＣＰＵ(551)は、ステップＳ４３にて作成された２つの画像ファイルを互いに関連付ける関連付けファイルを作成し、該関連付けファイルを、これにステップＳ４４にて作成されたサムネイルを添付してメモリ(６)に記録する。
斯くして、第１撮像機構(１)及び第２撮像機構(２)により取得される２つの画像が、ＡＳＩＣ(55)により互いに関連付けられてメモリ(６)に記録されることなる。
【００３４】
例えば図１３に示す様に、関連する第１画像ファイルＡ１と第２画像ファイルＢ１がメモリ(６)内の画像フォルダに記録された場合、これら２つの画像ファイルＡ１，Ｂ１を関連付ける関連付けファイルＣ１(Ａ１／Ｂ１)が作成されて、メモリ(６)内の画像フォルダに記録される。同様に、関連する第１画像ファイルＡ４と第２画像ファイルＢ２がメモリ(６)内の画像フォルダに記録された場合、これら２つの画像ファイルＡ４，Ｂ２を関連付ける関連付けファイルＣ２(Ａ４／Ｂ２)が作成されて、メモリ(６)内の画像フォルダに記録される。
尚、第１画像ファイルＡ２，Ａ３は、上述した図１０に示す記録制御手続きが実行されてメモリ(６)に記録された画像ファイルである。
【００３５】
モード切替え操作部(42)が再生モードに設定されている場合、液晶ディスプレイには、第１画像ファイル、第２画像ファイル、関連付けファイルにそれぞれ添付されているサムネイルが選択可能な状態で表示される。
第１画像ファイル又は第２画像ファイルに添付されているサムネイルが選択された場合、図１４に示す如く再生制御手続きが実行される。該再生制御手続きにおいては、先ずステップＳ５１において、表示制御手段(７)が、選択されたサムネイルに対応する第１画像ファイル又は第２画像ファイルをメモリ(６)から読み込む。
【００３６】
このとき、第１画像ファイルと第２画像ファイルが関連付けファイルにより互いに関連付けられている場合であっても、上述の如くこれらの画像ファイルは別個にメモリ(６)に記録されているので、第１画像ファイル又は第２画像ファイルの何れか一方の画像ファイルだけをメモリ(６)から読み出すことが可能である。
【００３７】
次に、表示制御手段(７)により読み込まれた第１画像ファイル又は第２画像ファイルは、ステップＳ５２において表示制御手段(７)により複合化処理が施され、そしてステップＳ５３において表示制御手段(７)の表示制御回路(71)により画像として液晶ディスプレイ(３)に1画面表示される。
【００３８】
一方、関連付けファイルに添付されているサムネイルが選択された場合には、図１５に示す如く再生制御手続きが実行される。該再生制御手続きにおいては、先ずステップＳ６１において、表示制御手段(７)が、選択されたサムネイルに対応する関連付けファイルをメモリ(６)から読み込む。次に、ステップＳ６２において、表示制御手段(７)は、ステップＳ６１にて読み込んだ関連付けファイルに基づいて、関連する第１画像ファイルと第２画像ファイルをメモリ(６)から読み込む。
【００３９】
そして、ステップＳ６３において、表示制御手段(７)の画像合成回路(72)が、ステップＳ６２にて表示制御手段(７)により読み込まれた第１画像ファイルと第２画像ファイルに複合化処理を施す。そして、画像合成回路(72)は、第２画像ファイルの画像に、第１画像ファイルの画像を縮小して重ね合わせ、これにより２つの画像の合成画像を作成する。次に、ステップＳ６４において、表示制御手段(７)の表示制御回路(71)が、ステップＳ６３にて作成された合成画像を液晶ディスプレイ(３)に表示する。
斯くして、関連する２つの画像ファイル（第１画像ファイルと第２画像ファイル）の画像が、図７に示す様に液晶ディスプレイ(３)に２画面表示されることになる。
【００４０】
上述したデジタルカメラによれば、ズームレンズ(11)と被写体との距離が変化した場合でも、調整手段(82)により、第１撮像機構(１)の撮影範囲が第２撮像機構(２)の撮影範囲の中心位置又はその近傍位置に配置される様に、第２撮像機構(２)の光軸(92)の傾きが調整される。これにより、ズームレンズ(11)と被写体との距離に拘わらず、図８に示す如く、第２撮像機構(２)により取得される画像には、その中心位置又はその近傍位置（図８において破線により囲まれた範囲）に、第１撮像機構(１)により取得される画像（図６）が含まれることになる。
【００４１】
よって、図６に示す様にズームレンズ(11)のテレ端側にて第１撮像機構(１)により取得される画像には、被写体の周囲又は被写体の全体像が写り難いが、図８に示す様に単焦点レンズ(21)を用いて第２撮像機構(２)により取得される画像には、被写体の周囲又は被写体の全体像が写ることになる。従って、第２撮像機構(２)により取得される画像を、図７に示す如く２画面表示された画像、或いは図８に示す如く１画面表示された画像によって確認することにより、被写体の周囲又は被写体の全体像を確認することが出来る。
【００４２】
その結果、第１撮像機構(１)の撮影範囲から被写体又はその一部が外れた場合でも、液晶ディスプレイ(３)の画面を確認しながら、撮影範囲から外れた被写体又はその一部を再び撮影範囲内に容易に捉えることが出来る。
【００４３】
又、図８に示す様に、第２撮像機構(２)により取得される画像には、第１撮像機構の撮影範囲となる領域を示す破線を表示してもよい。これにより、第１撮像機構(１)の撮影範囲から被写体又はその一部が外れた場合でも、図８に示す画像を液晶ディスプレイ(３)の画面で確認しながら、破線で囲まれた領域内へ被写体又はその一部を移動させることにより、撮影範囲から外れた被写体又はその一部を再び撮影範囲内に容易に捉えることが出来る。
【００４４】
更に、上記デジタルカメラによれば、画像再生時に、関連する２つの画像をメモリ(６)から読み込み、これらの画像を合成して同じ液晶ディスプレイ(３)に２画面表示させることが出来るので、第１撮像機構(１)により取得される画像からでは認識し難い被写体の周囲の雰囲気又は被写体の全体像を、第２撮像機構(２)により取得される画像から認識することが出来る。従って、２つの画像から臨場感が得られることになる。
【００４５】
尚、本発明の各部構成は上記実施形態に限らず、特許請求の範囲に記載の技術的範囲内で種々の変形が可能である。上記実施形態においては、第１撮像機構(１)及び第２撮像機構(２)により取得される２つの画像は、別々のファイルとしてメモリ(６)に記録されたが、本発明はこれに限られるものではない。例えば、２つの画像を１つのファイルとして纏めてメモリ(６)に記録してもよい。但し、２つの画像は、該１つのファイルから別々に読み出すことが可能な形態で記録されることになる。
【００４６】
又、上記実施形態においては、メモリ(６)に記録した画像をデジタルカメラの液晶ディスプレイ(３)に再生していたが、本発明はこれに限られるものではない。例えば、図４に示す如くデジタルカメラに外部表示装置用の出力端子(57)を設けて、該出力端子(57)に外部表示装置を接続し、該外部表示装置に画像を再生してもよい。
【００４７】
更に、上記実施形態においては、デジタルカメラは、第１撮像機構(１)及び第２撮像機構(２)により取得される２つの画像を互いに関連付けてメモリ(６)に記録する構成と、第２撮像機構(２)の光軸(92)の傾きを調整する構成とを具えていたが、何れか一方の構成のみを具えたデジタルカメラとしてもよい。
【００４８】
更に又、上記デジタルカメラの各種構成は、デジタルカメラに限らず、種々の撮像装置に適用することが出来る。又、上記デジタルカメラの各種構成は、静止画像を撮影及び再生するものに限らず、動画像を撮影及び再生するものにも適用することが出来る。
【符号の説明】
【００４９】
(１)  第１撮像機構
(11)  ズームレンズ（変倍レンズ）
(12)  第１撮像素子
(２)  第２撮像機構
(21)  単焦点レンズ（広角レンズ）
(22)  第２撮像素子
(３)  液晶ディスプレイ（画像表示部）
(６)  メモリ
(55)  ＡＳＩＣ（記録制御手段）
(７)  表示制御手段
(71)  画像合成回路
(72)  表示制御回路
(81)  情報取得手段
(82)  調整手段
【図１】
2011013243.tif 000003
【図２】
2011013243.tif 000004
【図３】
2011013243.tif 000005
【図４】
2011013243.tif 000006
【図５】
2011013243.tif 000007
【図６】
2011013243.tif 000008
【図７】
2011013243.tif 000009
【図８】
2011013243.tif 000010
【図９】
2011013243.tif 000011
【図１０】
2011013243.tif 000012
【図１１】
2011013243.tif 000013
【図１２】
2011013243.tif 000014
【図１３】
2011013243.tif 000015
【図１４】
2011013243.tif 000016
【図１５】
2011013243.tif 000017